(57)【要約】【課題】収差補正用レンズの基準位置を、部品点数の増大を抑制しつつ円滑かつ精度良く検出できる光ピックアップ装置および光ディスク装置を提供する。【解決手段】コリメートレンズ１０５を保持する可動部２０２に遮光板２０５を配置する。遮光板２０５は、コリメートレンズ１０５が基準位置にあるときには、偏光ビームスプリッタ１０３を経由してＦＭＤ１０４の受光部（センサ）に照射されるレーザ光の半分を当該受光部（センサ）に対して遮光し、コリメートレンズ１０５が中立位置および収差補正サーボ時に中立位置から変位される一定の変位範囲にあるときには、偏光ビームスプリッタ１０３からＦＭＤ１０４に向かうレーザ光をＦＭＤ１０４の受光部（センサ）に対して遮光しないよう形成および配置されている。【選択図】図１
2008117499.tif 000002
【特許請求の範囲】
【請求項１】
レーザ光源と、
前記レーザ光源から出射されたレーザ光を記録媒体上に収束させる対物レンズと、
前記レーザ光源と前記対物レンズとの間に配され、且つ、レンズアクチュエータによって前記レーザ光の光軸方向に変位可能に支持された収差補正用レンズと、
前記レーザ光源から出射されたレーザ光を受光するパワーモニタ用の光検出器と、
前記レーザ光源から出射されたレーザ光を前記対物レンズに向かう第１の光路と、前記光検出器に向かう第２の光路に分割するビームスプリッタと、
前記収差補正用レンズと一体的に配され、且つ、前記収差補正用レンズを収差補正サーボ位置に位置づけるための基準位置に前記収差補正用レンズが位置するときに前記第２の光路を進むレーザ光を前記光検出器に対して遮光し、前記収差補正用レンズが前記基準位置から前記収差補正サーボ位置に変位することにより前記第２の光路から退避する遮光板と、
を有することを特徴とする光ピックアップ装置。
【請求項２】
請求項１に記載の光ピックアップ装置において、
前記収差補正用レンズは、前記レーザ光源から出射されたレーザ光を平行光に変換するコリメートレンズである、
ことを特徴とする光ピックアップ装置。
【請求項３】
請求項１または２に記載の光ピックアップ装置において、
前記第１の光路に配され、且つ、前記レーザ光の進行方向を前記第１の光路と前記第２の光路を含む面内において変更するミラーをさらに備え、
前記収差補正用レンズは、該ミラーにて反射された後の前記第１の光路に配され、
該ミラーによって反射されたレーザ光の進行方向は、前記基準位置に前記収差補正用レンズが位置するときに前記遮光板が前記第２の光路を進むレーザ光を前記光検出器に対して遮光するよう、前記第２の光路におけるレーザ光の進行方向に対して所定角度だけ傾いている、
ことを特徴とする光ピックアップ装置。
【請求項４】
請求項１ないし３の何れか一項に記載の光ピックアップ装置において、
前記光検出器は、前記遮光板の変位方向に２つの受光領域に分割されている、
ことを特徴とする光ピックアップ装置。
【請求項５】
請求項４に記載の光ピックアップ装置を備える光ディスク装置であって、
前記収差補正用レンズの基準位置を検出する基準位置検出回路を有し、
該基準位置検出回路は、
前記２つの受光領域から出力される検出信号の差分を演算する演算回路と、
前記演算回路から出力される信号のピークを検出するピーク検出回路とを有する、
ことを特徴とする光ディスク装置。
【請求項６】
請求項５に記載の光ディスク装置において、
前記レーザ光源を駆動するレーザ駆動回路と、
前記光検出器から出力される信号に基づいて前記レーザ光源の出力を一定とするための信号を出力するパワー調整回路と、
一定レベルのレーザ駆動信号を出力する定駆動回路と、
前記パワー調整回路からの信号と前記定駆動回路からの信号の何れかを前記レーザ駆動回路に供給する選択回路とを備え、
前記選択回路は、前記基準位置の検出動作時には、前記定駆動回路からの信号を前記選択回路に供給する、
ことを特徴とする光ディスク装置。
【発明の詳細な説明】
【技術分野】
【０００１】
本発明は、光ピックアップ装置および光ディスク装置に関し、特に、レーザ光に生じる波面収差を、レンズを駆動することによって補正する際に用いて好適なものである。
【背景技術】
【０００２】
ＣＤ（Compact Disc）やＤＶＤ（Digital Versatile Disc）にレーザ光を収束させる場合、レーザ光の波長変動や、ディスク基板の厚み変動等に起因して、記録面上におけるレーザ光に波面収差が生じる。現在商品化が進められているＢＤ（ブルーレイディスク）では、ＣＤやＤＶＤよりも高い開口数（ＮＡ）が要求されるため、記録面上において生じる波面収差は、ＣＤやＤＶＤの場合よりもかなり顕著なものとなる。このため、特にＢＤでは、球面収差を抑制するための構成が光ピックアップ装置に必要となる。
【０００３】
波面収差を補正するための方法として、特許文献１に記載の方法が知られている。この方法は、凹レンズと凸レンズを組み合わせたエキスパンダを光ピックアップ装置の光学系に配置し、これら２つのレンズのうち何れか一方を、レーザ光の光軸方向に変位させ、これにより、記録面上における波面収差を補正するものである。なお、この方法では、レンズ駆動源としてステッピングモータが用いられている。収差補正用のレンズは、基準位置から予め決められたステップ数だけ変位され、これにより、収差補正サーボ位置に位置づけられる。その後、このサーボ位置から、再生信号品質が最良となるよう、収差補正用のレンズが光軸方向に微動される。
【０００４】
ここで、光ピックアップ装置には、収差補正用レンズの基準位置を検出するための構成が必要となる。しかし、この構成は、特許文献１には示されていない。一般、収差補正用レンズの基準位置は、ＬＥＤとフォトダイオードを対向させたフォトセンサを用いて検出できる。しかし、フォトセンサを用いると、部品点数が増大し、光ピックアップ装置のコストが上昇する。また、フォトセンサは、温度による出力レベルの変動が大きく、また、外形に対する受光部位置の誤差が大きい。このため、フォトセンサを用いる場合には、基準位置の検出に誤差が生じる惧れがある。
【特許文献１】特開２００３−９１８４７号公報
【発明の開示】
【発明が解決しようとする課題】
【０００５】
本発明は、フォトセンサを用いることなく、収差補正用レンズの基準位置を円滑かつ精度良く検出できる光ピックアップ装置および光ディスク装置を提供することを課題とする。
【課題を解決するための手段】
【０００６】
上記課題に鑑み本発明は、以下の特徴を有する。
【０００７】
請求項１の発明は、光ピックアップ装置に関する。ここで、光ピックアップ装置は、レーザ光源と、レーザ光源から出射されたレーザ光を記録媒体上に収束させる対物レンズと、レーザ光源と対物レンズとの間に配され、且つ、レンズアクチュエータによってレーザ光の光軸方向に変位可能に支持された収差補正用レンズと、レーザ光源から出射されたレーザ光を受光するパワーモニタ用の光検出器と、レーザ光源から出射されたレーザ光を、対物レンズに向かう第１の光路と、光検出器に向かう第２の光路に分割するビームスプリッタと、収差補正用レンズと一体的に配され、且つ、収差補正用レンズを収差補正サーボ位置に位置づけるための基準位置に収差補正用レンズが位置するときに第２の光路を進むレーザ光を光検出器に対して遮光し、収差補正用レンズが基準位置から収差補正サーボ位置に変位することにより第２の光路から退避する遮光板とを有する。
【０００８】
請求項１の発明によれば、パワーモニタ用の光検出器が基準位置検出用のセンサとして共用される。よって、別途、光ピックアップ装置に、基準位置検出用のフォトセンサを配する必要がなく、部品点数の増加とそれによるコストの上昇を抑制することができる。また、パワーモニタ用の光検出器は予め精度良く位置決めされて配置されているため、受光部位置に大きな誤差が生じることはない。よって、本発明によれば、単に遮光板を正規の位置に配置するのみで、精度良く、収差補正用レンズの基準位置を検出することができる。
【０００９】
請求項２の発明は、請求項１に記載の光ピックアップ装置において、前記収差補正用レンズは、レーザ光源から出射されたレーザ光を平行光に変換するコリメートレンズであることを特徴とする。
【００１０】
この発明によれば、コリメートレンズが収差補正用レンズとして共用されるため、部品点数の増加とそれによるコストの上昇を抑制することができる。
【００１１】
請求項３の発明は、請求項１または２に記載の光ピックアップ装置において、前記第１の光路に配され、且つ、レーザ光の進行方向を前記第１の光路と前記第２の光路を含む面内において変更するミラーをさらに備え、前記収差補正用レンズは、該ミラーにて反射された後の第１の光路に配され、該ミラーによって反射されたレーザ光の進行方向は、基準位置に収差補正用レンズが位置するときに遮光板が第２の光路を進むレーザ光を光検出器に対して遮光するよう、第２の光路におけるレーザ光の進行方向に対して所定角度だけ傾いていることを特徴とする。
【００１２】
ＢＤ等の次世代ＤＶＤに用いる光ピックアップ装置では、性能向上のために、レーザ光源からコリメートレンズまでの光路長が大きく設定される。ここで、この光路を直線状にすると、この光路方向における光ピックアップ装置の寸法が大きくなる。このため、この場合には、ミラーを用いてこの光路を屈曲させる措置が取られる。ここで、屈曲後の光路に収差補正用レンズが配置される場合、屈曲後の光路とパワーモニタ用の光検出器に向かうレーザ光の光路が平行であると、収差補正用レンズの駆動に伴って遮光板が変位しても、その変位方向はパワーモニタ用の光検出器に向かうレーザ光の光路と平行となるため、光検出器に向かうレーザ光を遮光板によって遮光することができない。
【００１３】
請求項３の発明によれば、ミラーによって反射されたレーザ光の進行方向が、第２の光路（パワーモニタ用の光検出器に向かうレーザ光の光路）におけるレーザ光の進行方向に対して所定角度だけ傾くよう設定されるため、基準位置に収差補正用レンズが位置するときに遮光板が第２の光路を進むレーザ光を光検出器に対して遮光することができる。
【００１４】
請求項４の発明は、請求項１ないし３の何れか一項に記載の光ピックアップ装置において、前記光検出器は、遮光板の変位方向に２つの受光領域に分割されていることを特徴とする。
【００１５】
この発明によれば、パワーモニタ用の光検出器に温度による出力レベルの変動が生じても、収差補正用レンズの基準位置を精度良く検出することができる。なお、これについては、以下の実施の形態の項において、図４を参照して説明する。
【００１６】
請求項５の発明は、光ディスク装置に関する。この光ディスク装置は、請求項４に記載の光ピックアップ装置を備え、さらに、収差補正用レンズの基準位置を検出する基準位置検出回路を有している。ここで、基準位置検出回路は、光検出器の２つの受光領域から出力される検出信号の差分を演算する演算回路と、演算回路から出力される信号のピークを検出するピーク検出回路とを有している。
【００１７】
この発明は、請求項４における効果を実現するための回路構成を特定するものである。すなわち、この回路構成を用いることによって、請求項４における効果、すなわち、パワーモニタ用の光検出器に温度による出力レベルの変動が生じても、収差補正用レンズの基準位置を精度良く検出できるとの効果を達成することができる。
【００１８】
請求項６の発明は、請求項５に記載の光ディスク装置において、レーザ光源を駆動するレーザ駆動回路と、前記光検出器から出力される信号に基づいてレーザ光源の出力を一定とするための信号を出力するパワー調整回路と、一定レベルのレーザ駆動信号を出力する定駆動回路と、パワー調整回路からの信号と定駆動回路からの信号の何れかをレーザ駆動回路に供給する選択回路とを備え、選択回路は、基準位置の検出動作時には、定駆動回路からの信号を選択回路に供給することを特徴とする。
【００１９】
本発明によれば、基準位置の検出動作時には、定駆動回路からの信号がレーザ駆動回路に供給されるため、パワーモニタ用の光検出器に照射されるレーザ光が遮光板によって遮光されることによりレーザ光源の出力が増大する方向に制御されるとの不都合を回避することができる。
【００２０】
本発明の特徴ないし意義は、以下に示す実施の形態の説明により更に明らかとなろう。ただし、以下の実施の形態は、あくまでも、本発明を実現するための一つの例示であって、本発明ないし各構成要件の用語の意義は、以下の実施の形態に記載されたものに制限されるものではない。
【発明の効果】
【００２１】
以上述べた如く、本発明によれば、収差補正用レンズの基準位置を円滑かつ精度良く検出できる光ピックアップ装置および光ディスク装置を提供することができる。
【発明を実施するための最良の形態】
【００２２】
以下、本発明に係る実施の形態について説明する。なお、本実施の形態は、基板厚０．１ｍｍのＢＤ（ブルーレイディスク）に対してデータを記録再生する光ディスク装置およびその光ピックアップ装置に本発明を適用したものである。
【００２３】
図１に、実施の形態に係る光ピックアップ装置の構成を示す。なお、図１には、対物レンズ１０８を駆動する対物レンズアクチュエータが図示省略されている。また、同図では、便宜上、反射ミラー１０６によって対物レンズ１０８方向に反射された後のレーザ光がＹ軸方向に進むよう図示されているが、実際は、このレーザ光は、同図のＺ軸方向に進む。すなわち、ミラー１０６は、コリメートレンズ１０５側からのレーザ光を同図のＺ軸方向に反射し、１／４板１０７と対物レンズ１０８は、同図のＺ軸方向に並ぶよう配置されている。
【００２４】
図示の如く、光ピックアップ装置は、半導体レーザ１０１と、λ／２板付き回折格子１０２と、偏光ビームスプリッタ１０３と、パワーモニタ用光検出器（以下、「ＦＭＤ」という）１０４と、コリメートレンズ１０５と、立ち上げミラー１０６と、λ／４板１０７と、対物レンズ１０８と、アナモレンズ１０９と、光検出器１１０と、レンズアクチュエータ２００を備えている。
【００２５】
半導体レーザ１０１は、波長４０５ｎｍ程度のレーザ光を出射する。λ／２板付き回折格子１０２は、半導体レーザ１０１からのレーザ光を３ビームに分割するとともに、レーザ光の偏光方向を変化させる。λ／２板付き回折格子１０２を光軸を軸として回転させることによって、偏光ビームスプリッタ１０３に入射する際のレーザ光の偏光方向が回転する。λ／２板付き回折格子１０２の回転位置は、所定光量のレーザ光が偏光ビームスプリッタ１０３によってＦＭＤ１０４方向に反射される位置に調整される。
【００２６】
偏光ビームスプリッタ１０３は、λ／２板付き回折格子１０２側から入射されるレーザ光を、その偏光方向に応じた比率で透過および反射するとともに、コリメートレンズ１０５側から入射されるレーザ光を同様の比率で反射および透過する。ＦＭＤ１０４は、偏光ビームスプリッタ１０３によって反射されたレーザ光を受光し、受光量に応じて信号を出力する。
【００２７】
コリメートレンズ１０５は、偏光ビームスプリッタ１０３側から入射されるレーザ光を平行光に変換する。ここで、コリメートレンズ１０５は、レンズアクチュエータ２００の可動部２０２に装着されており、可動部２０２の移動に伴って、光軸方向に移動する。コリメートレンズ１０５が予め決められた中立位置にあるとき、偏光ビームスプリッタ１０３側から入射されるレーザ光は平行光に変換される。この中立位置から、コリメートレンズ１０５を光軸方向に変位させることにより、レーザ光は、平行光から拡散または収束する。これにより、対物レンズ１０８に入射する際のレーザ光の共役が変化し、その結果、ディスク記録層上におけるレーザ光の波面収差が補正される。
【００２８】
立ち上げミラー１０６は、コリメートレンズ１０５側から入射されるレーザ光を対物レンズ１０８に向かう方向に反射する。λ／４板１０７は、ディスクへと向かうレーザ光を円偏光に変換するとともに、ディスクからの反射光をディスク入射時の偏光方向に直交する直線偏光に変換する。なお、λ／４板１０７は、対物レンズ１０８を保持するホルダ（図示せず）に装着しても良い。
【００２９】
対物レンズ１０８は、レーザ光をディスク（ＢＤ）記録面上に適正に収束できるよう設計されている。アナモレンズ１０９は、ディスクからの反射光に非点収差を導入する。光検出器１１０は、受光したレーザ光の強度分布から再生ＲＦ信号、フォーカスエラー信号およびトラッキングエラー信号を導出するためのセンサーパターンを有している。
【００３０】
レンズアクチュエータ２００は、ベース２０１と、可動部２０２と、リードスクリュー機構２０３と、ステッピングモータ２０４と、遮光板２０５を備えている。リードスクリュー機構２０３は、ベース２０１の壁部２０１ａ、２０２ｂに装着され、ステッピングモータ２０４によって駆動される。また、リードスクリュー機構２０３のスクリュー部は、可動部２０２側のギア部に噛合している。したがって、リードスクリュー機構２０３がステッピングモータ２０４によって駆動されると、これに伴って、可動部２０２が、リードスクリュー部の長手方向に変位する。なお、ステッピングモータ２０４の１ステップ駆動当たりの可動部２０２の変位量は一定である。
【００３１】
可動部２０２には、遮光板２０５が装着されている。この遮光板２０５は、コリメートレンズ１０５が基準位置（コリメートレンズ１０５を中立位置に移動させる際の基準となる位置）にあるときには、偏光ビームスプリッタ１０３を経由してＦＭＤ１０４の受光部（センサ）に照射されるレーザ光の半分を当該受光部（センサ）に対して遮光し、コリメートレンズ１０５が中立位置および収差補正サーボ時に中立位置から変位される一定の変位範囲にあるときには、偏光ビームスプリッタ１０３からＦＭＤ１０４に向かうレーザ光をＦＭＤ１０４の受光部（センサ）に対して遮光しないよう形成および配置されている。
【００３２】
ここで、コリメートレンズ１０５は、基準位置から予め決められたステップ数だけステッピングモータ２０４が駆動されることにより、中立位置に位置づけられる。したがって、ここでは、コリメートレンズ１０５の基準位置を精度良く検出する必要がある。
【００３３】
本実施の形態において、かかる基準位置の検出は、偏光ビームスプリッタ１０３からＦＭＤ１０４に向かうレーザ光を遮光板２０５が遮光しない位置から遮光する方向へと移動するようレンズアクチュエータ２００を駆動し、その際にＦＭＤ１０４から出力される信号を参照することにより行われる。なお、これについては、追って、図３および図４を参照して説明する。
【００３４】
図２は、実施の形態に係る光ディスク装置の回路構成を示す図である。なお、同図には、便宜上、コリメートレンズ１０５の駆動制御に関連する回路のみが図示され、これら以外の記録系および再生系の回路構成は図示省略されている。
【００３５】
図において、信号増幅回路１０は、ＦＭＤ１０４および光検出器１１０から出力される信号を演算および増幅して再生ＲＦ信号、フォーカスエラー信号およびトラッキングエラー信号等の各種信号を生成し、これら信号を対応する回路に出力する。マイクロコンピュータ１１は、信号増幅回路１０から入力されるＦＭＤ信号（ＦＭＤ１０４からの信号）をＡＰＣ（Auto Power Control）回路１３および位置検出回路１５に供給するとともに、ＡＣＣ（Auto Current Control）回路１２およびＡＰＣ回路１３から入力される信号のうち何れかをレーザ駆動回路１４に出力する。
【００３６】
ＡＣＣ回路１２は、一定レベルの駆動電流をマイクロコンピュータ１１に出力する。ＡＰＣ回路１３は、信号増幅回路１０から入力されたＦＭＤ信号と、記録／再生レーザパワーの設定値に応じた基準信号レベルとを比較し、入力されたＦＭＤ信号が基準信号レベルに追従することとなるような駆動電流をマイクロコンピュータ１１に出力する。レーザ駆動回路１４は、ＡＣＣ回路１２およびＡＰＣ回路１３から出力される駆動電流のうち、マイクロコンピュータ１１によって選択された駆動電流に基づいて、光ピックアップ装置内の半導体レーザ１０１を駆動する。
【００３７】
位置検出回路１５は、マイクロコンピュータ１１経由で入力されたＦＭＤ信号に基づいて、コリメートレンズ１０５の基準位置を検出し、検出信号をサーボ回路１６に出力する。なお、位置検出回路１５の構成および基準位置の検出方法については、追って、図３および図４を参照して説明する。
【００３８】
サーボ回路１６は、コリメートレンズ１０５の基準位置検出時に、上記の如く、遮光板２０５が、偏光ビームスプリッタ１０３からＦＭＤ１０４に向かうレーザ光を遮光しない位置から遮光する方向に移動するよう、レンズアクチュエータ２００を駆動する。このとき、サーボ回路１６は、位置検出回路１５から検出信号が入力されたタイミングにおけるステッピングモータ２０４の駆動位置を、コリメートレンズ１０５の基準位置として設定する。さらに、サーボ回路１６は、コリメートレンズ１０５がこの基準位置から図１（ｂ）の矢印方向に予め決められたステップ数だけ移動するようステッピングモータ２０４を駆動し、これにより、コリメートレンズ１０５を中立位置に位置づける。そして、記録／再生動作時には、信号増幅回路１０から入力される再生ＲＦ信号を随時モニタし、再生ＲＦ信号の品質が最良となるよう、この中立位置からコリメートレンズ１０５を光軸方向に変位させる。
【００３９】
また、サーボ回路１６は、信号増幅回路１０から入力されるフォーカスエラー信号およびトラッキングエラー信号に基づいて、対物レンズアクチュエータを駆動し、対物レンズ１０８をフォーカス方向およびトラッキング方向に変位させる。この他、サーボ回路１６は、ディスク駆動用のスピンドルモータを駆動制御し、さらに、光ピックアップ装置をディスク上の記録／再生対象位置（ターゲット位置）にアクセスさせる。
【００４０】
図３および図４は、それぞれ、コリメートレンズ１０５の基準位置の検出方法と、位置検出回路１５の構成例を示す図である。なお、図３は、ＦＭＤ１０４の受光部を円形のセンサ１０４ａにて構成した場合を示し、図４は、ＦＭＤ１０４の受光部を、遮光板２０５の進行方向に２分割された半円形のセンサ１０４ｂ、１０４ｃにて構成した場合を示している。以下、これらの図面を参照して、コリメートレンズ１０５の基準位置の検出方法とその構成例について説明する。
【００４１】
まず、図３における検出方法と構成例について説明する。図において、遮光板２０５が同図（ａ）に示す状態から矢印方向に移動し、遮光板２０５の先端部が、順次、Ａ、Ｂ、Ｃの位置に達すると、センサ１０４ａの出力は、同図（ｂ）に示すように変化する。この場合、センサ出力が同図のＩｔｈとなる位置、すなわち、遮光板２０５がセンサ１０４ａの半分を遮光するときの位置がコリメートレンズ１０５の基準位置に設定される。このとき、上述の位置検出回路１５は、同図（ｃ）に示す如く構成され得る。この構成例では、センサ１０４ａからの信号が、レベル比較回路１５ａによって、閾値レベルＩｔｈと比較される。そして、センサ１０４ａからの信号が閾値レベルＩｔｈに一致したときに、コリメートレンズ１０５が基準位置に到達したとされ、そのタイミングにて、基準位置の検出信号が、レベル比較回路１５ａから図２に示すサーボ回路１６に出力される。
【００４２】
これに対し、図４における構成例では、遮光板２０５が同図（ａ）に示す状態から矢印方向に移動し、遮光板２０５の先端部が、順次、Ａ、Ｂ、Ｃの位置に達すると、センサ１０４ｂおよびセンサ１０４ｃの出力は、それぞれ、同図（ｂ）に示すように変化する。なお、同図（ｂ）には、センサ１０４ｂからの信号を一点鎖線（センサｂ）で示し、センサ１０４ｃからの信号を破線（センサｃ）で示している。また、センサ１０４ｃの信号からセンサ１０４ｂの信号を減算した信号を実線（演算値）で示している。
【００４３】
この場合、センサ１０４ｃの信号からセンサ１０４ｂの信号を減算した信号（演算値）がピークとなる位置、すなわち、遮光板２０５がセンサ１０４ｂのみを完全に遮光するときの位置がコリメートレンズ１０５の基準位置に設定される。このとき、位置検出回路１５は、同図（ｃ）に示す構成とされ得る。この構成例では、センサ１０４ｂとセンサ１０４ｃからの信号が減算回路１５ｂによって減算され、その減算結果がピーク検出回路１５ｃに入力される。そして、減算回路１５ｂからがピークとなったときに、コリメートレンズ１０５が基準位置に到達したとされ、そのタイミングにて、基準位置の検出信号が、ピーク検出回路１５ｃから図２に示すサーボ回路１６に出力される。
【００４４】
なお、図３に示すように、センサ１０４ａからの信号と閾値レベルＩｔｈを比較して基準位置を検出する場合には、センサ１０４ａに温度による出力レベルの変動が生じると、センサ出力が閾値レベルＩｔｈに一致するときの遮光板２０５の位置が、同図（ｂ）の“Ｂ”の位置から“Ａ”または“Ｃ”の方向にずれることとなり、その結果、コリメートレンズ１０５の基準位置を誤検出するとの問題が起こり得る。
【００４５】
これに対し、図４の構成例の場合には、センサ１０４ｂおよび１０４ｃに温度による出力レベルの変動が生じても、センサ１０４ｃの信号からセンサ１０４ｂの信号を減算した信号（演算値）のピーク位置は、同図（ｂ）の“Ｂ”の位置からずれることはない。よって、図４の構成の場合には、コリメートレンズ１０５の基準位置を精度良く検出することができる。
【００４６】
次に、図５を参照して、実施の形態に係る光ディスク装置の動作フローを説明する。
【００４７】
光ディスク装置にディスクが装着されると、光ピックアップ装置の半導体レーザ１０１に対しＡＣＣ回路１２から一定電流が供給され、半導体レーザ１０１から一定パワーのレーザ光が出射される（Ｓ１０１）。次に、遮光板２０５が図３（ａ）または図４（ａ）に示す位置から同図の矢印方向に変位するよう、ステッピングモータ２０４がサーボ回路１６によって駆動される（Ｓ１０２）。このとき、上記図３および図４を参照して説明した如くして、位置検出回路１５によってコリメートレンズ１０５の基準位置が検出される（Ｓ１０３）。そして、基準位置が検出されると（Ｓ１０３：ＹＥＳ）、サーボ回路１６によって、当該基準位置から図１（ｂ）の矢印方向に予め決められたステップ数だけコリメートレンズ１０５が移動され、これにより、コリメートレンズ１０５が中立位置に位置づけられる（Ｓ１０４）。
【００４８】
しかる後、半導体レーザ１０１が消灯され、光ディスク装置は、ユーザから記録／再生指令が入力されるまで、待機モードに設定させる（Ｓ１０５、Ｓ１０６）。そして、ユーザから記録／再生指令が入力されると（Ｓ１０６：ＹＥＳ）、マイクロコンピュータ１１の設定が、ＡＰＣ回路１３からの信号がレーザ駆動回路１４に供給される状態に設定された後（Ｓ１０７）、光ピックアップ装置が、記録／再生対象とされる位置（ターゲット位置）に送られる（Ｓ１０８）。そして、フォーカスサーボ、トラッキングサーボおよび収差補正サーボ等の各種サーボがＯＮされた後（Ｓ１０９）、当該ディスクに対する記録／再生動作が実行される（Ｓ１１０、Ｓ１１１）。このとき、コリメートレンズ１０５は、サーボ回路１６によって、再生ＲＦ信号の品質が最良となるよう、中立位置から光軸方向に変位される。
【００４９】
その後、当該記録／再生動作を終了する旨の指令がユーザから入力されると（Ｓ１１１：ＹＥＳ）、この指令が、ディスク排出指令に基づくものかが判別される（Ｓ１１２）。ここで、この指令がディスク排出指令に基づくものでなければ（Ｓ１１２：ＮＯ）、サーボ回路１６によってコリメートレンズ１０５が中立位置に移動された後、Ｓ１０５に戻り、光ディスク装置は待機モードに設定される。一方、記録／再生動作の終了がディスク排出指令に基づくものであれば（Ｓ１１２：ＹＥＳ）、ディスク排出処理が行われた後、当該ディスクに対する動作が終了される。
【００５０】
以上、本実施の形態によれば、ＦＭＤ１０４がコリメートレンズ１０５の基準位置を検出するためのセンサとして共用されるため、別途、光ピックアップ装置に、基準位置検出用のセンサ等を配する必要がなく、部品点数の増加とそれによるコストの上昇を抑制することができる。また、ＦＭＤ１０４は、予め精度良く位置決めされて光学系に配置されるため、ＦＭＤ１０４配置後の受光部位置と正規の受光部位置との間に大きな誤差が生じることはない。よって、本実施の形態によれば、遮光板２０５を正規の位置に配置するのみで、精度良く、コリメートレンズ１０５の基準位置を検出することができる。また、本実施の形態では、コリメートレンズ１０５が収差補正用レンズとして共用されるため、部品点数の増加とそれによるコストの上昇を抑制することができる。
【００５１】
なお、コリメートレンズ１０５の基準位置を検出するための構成として図４の構成を採用する場合には、図３および図４の構成を対比して説明した如く、ＦＭＤ１０４の受光部を構成するセンサに温度による出力レベルの変動が生じても、コリメートレンズ１０５の基準位置を精度良く検出することができる。
【００５２】
さらに、本実施の形態によれば、基準位置の検出動作時には、レーザ駆動回路１４に供給される信号が、ＡＰＣ回路１３からの信号ではなく、ＡＣＣ回路１２からの信号に設定されるため、基準位置検出動作時にＦＭＤ１０４に照射されるレーザ光が遮光板２０５によって遮光されることにより半導体レーザ１０１の出力が増大する方向に制御されるとの不都合を回避することができる。
【００５３】
なお、本発明は、上記実施の形態に限定されるものではなく、また、本発明の実施形態も上記の他、種々の変更が可能である。
【００５４】
たとえば、上記実施の形態では、図１に示す如く、半導体レーザ１０１から立ち上げミラー１０６までの間の光路を曲げることなく、レーザ光を直線状の光路に沿って直進させるようにしたが、たとえば、偏光ビームスプリッタ１０３とコリメートレンズ１０５の間にミラーを配置し、これにより、レーザ光の光路を曲げるようにしても良い。
【００５５】
すなわち、ＢＤ等の次世代ＤＶＤに用いる光ピックアップ装置では、性能向上のために、一般に、半導体レーザ１０１からコリメートレンズ１０５までの光路長が大きく設定される。この場合、この光路を直線状に構成すると、この光路方向における光ピックアップ装置の寸法が大きくなってしまう。このため、この種の光ピックアップ装置で、ミラーを用いてこの光路を屈曲させる構成とする場合がある。
【００５６】
ここで、この構成をとる場合には、通常、ミラーによって屈曲された後の光路にコリメートレンズ１０５が配置される。ここで、屈曲後の光路と、偏光ビームスプリッタ１０３からＦＭＤ１０４に向かうレーザ光の光路が平行であると、このレーザ光の光路方向とコリメートレンズ１０５の駆動方向が平行となってしまう。こうなると、コリメートレンズ１０５の駆動に伴って遮光板２０５が変位しても、その変位方向はＦＭＤ１０４に向かうレーザ光の光路と平行となるため、最早、ＦＭＤ１０４に向かうレーザ光を遮光板２０５によって遮光することはできなくなる。これを避けるために、屈曲後の光路は、ＦＭＤ１０４に向かうレーザ光の光路に対し、所定角度だけ傾ける必要がある。
【００５７】
図６は、この場合の構成例を示す図である。同図（ａ）は、光ピックアップ装置の光学系の上面図、同図（ｂ）は、立ち上げミラー１０６から対物レンズ１０８までの光学系部分を示す図である。なお、図において、図１と同一要素には同一符号が付されている。また、同図（ａ）には、コリメートレンズ１０５を駆動するレンズアクチュエータ２００の構成が図示省略されている。
【００５８】
なお、この構成例は、ＢＤ／ＤＶＤ／ＣＤ用の互換型光ピックアップ装置に本発明を適用したものである。ただし、本発明に係る収差補正手段は、ＢＤ用光学系のみに適用されている。このため、便宜上、ＣＤ用光学系とＤＶＤ用光学系は、図中、破線で示され、以下では、これら光学系に関する説明は割愛する。なお、ＣＤ用光学系とＤＶＤ用光学系にも、本発明に係る収差補正手段を適宜適用可能である。
【００５９】
この構成例では、図１に示す構成に比べ、偏光ビームスプリッタ１０３とコリメートレンズ１０５の間にミラー１２０が配置され、このミラー１２０によって、レーザ光の光路が、同図のＸ−Ｙ平面に平行な方向に曲げられている。ここで、偏光ビームスプリッタ１０３からミラー１２０に入射する際のレーザ光の光軸と、ミラー１２０によって反射された後のレーザ光の光軸との間の角度は、１０５度程度に設定されている。
【００６０】
図７は、図６の構成例におけるレンズアクチュエータ２００の配置例を示す図である。同図（ａ）はコリメートレンズ１０５が基準位置に位置するときの図、同図（ｂ）はコリメートレンズ１０５が収差補正動作時の位置に位置するときの図である。なお、図において、図１と同一要素には同一符号が付されている。
【００６１】
図示の如く、遮光板２０５は、上記図１の場合と同様、コリメートレンズ１０５が基準位置にあるとき（同図（ａ）参照）には、偏光ビームスプリッタ１０３を経由してＦＭＤ１０４の受光部（センサ）に照射されるレーザ光の半分をＦＭＤ１０４の受光部（センサ）に対して遮光し、コリメートレンズ１０５が中立位置および収差補正サーボ時に中立位置から変位される一定の変位範囲にあるとき（同図（ｂ）参照）には、偏光ビームスプリッタ１０３からＦＭＤ１０４に向かうレーザ光をＦＭＤ１０４の受光部（センサ）に対して遮光しないよう形成および配置されている。
【００６２】
この構成例においても、上記図１の構成例の場合と同様にして、コリメートレンズ１０５の基準位置が検出される。よって、上記図１の構成例の場合と同様の効果が奏される。
【００６３】
この他、上記実施の形態では、コリメートレンズ１０５の基準位置を検出する際、遮光板２０５がレーザ光を遮光しない位置から遮光する位置に向かうよう、コリメートレンズ１０５を駆動するようにしたが、これに代えて、遮光板２０５がＦＭＤ１０４の受光部（センサ）に対してレーザ光を完全に遮光する位置から遮光しない位置に向かうよう、コリメートレンズ１０５を駆動するようにしても良い。この場合、遮光板２０５は、その先端部が図３（ａ）および図４（ａ）における“Ｃ”の位置から、順次“Ｂ”、“Ａ”の位置へと到達するよう移動される。このときのセンサ出力は、図３（ｂ）および図４（ｂ）と同様である。よって、位置検出回路１５の構成も、図３（ｃ）および図４（ｃ）のままとされる。
【００６４】
また、上記実施の形態では、コリメートレンズ１０５を収差補正用レンズとして共用するようにしたが、コリメートレンズ１０５とは別に収差補正用レンズを配置するようにすることもできる。ただし、この場合には、上記実施の形態に比べ、部品点数が増加し、また、コストも上昇する。
【００６５】
この他、上記実施の形態では、特に、ＢＤ用の光ピックアップ装置およびそれを内蔵する光ディスク装置を例示したが、たとえばＨＤＤＶＤ等の他のディスクに対応する光ピックアップ装置および光ディスク装置に本発明を適用することも可能である。
【００６６】
本発明の実施の形態は、特許請求の範囲に示された技術的思想の範囲内において、適宜、種々の変更が可能である。
【図面の簡単な説明】
【００６７】
【図１】実施の形態に係る光ピックアップ装置の構成を示す図
【図２】実施の形態に係る光ディスク装置の回路構成を示す図
【図３】実施の形態に係るコリメートレンズの基準位置を検出する方法を示す図
【図４】実施の形態に係るコリメートレンズの基準位置を検出する方法を示す図
【図５】実施の形態に係る光ディスク装置の動作フローを示す図
【図６】実施の形態に係る光ピックアップ装置の変更例を示す図
【図７】実施の形態に係る光ピックアップ装置の変更例を示す図
【符号の説明】
【００６８】
１０１  半導体レーザ（レーザ光源）
１０３  偏光ビームスプリッタ（ビームスプリッタ）
１０４  ＦＭＤ（パワーモニタ用光検出器）
１０５  コリメートレンズ（収差補正用レンズ）
１０８  対物レンズ
１２０  ミラー
２００  レンズアクチュエータ
２０５  遮光板
１１  マイクロコンピュータ（選択回路）
１２  ＡＣＣ回路（定駆動回路）
１３  ＡＰＣ回路（パワー調整回路）
１４  レーザ駆動回路
１５  位置検出回路（基準位置検出回路）
１６  サーボ回路
【図１】
2008117499.tif 000003
【図２】
2008117499.tif 000004
【図３】
2008117499.tif 000005
【図４】
2008117499.tif 000006
【図５】
2008117499.tif 000007
【図６】
2008117499.tif 000008
【図７】
2008117499.tif 000009